(57)【要約】【課題】加入者に大容量・高速データ及びリアルタイムデジタル放送／映像サービスを提供するためのＥＰＯＮを提供する。【解決手段】ＥＰＯＮにおいて、デジタル放送／映像データを使用者からの放送／映像選択情報に基づいて切り替えて使用者別に割り当てられた周波数に変調し結合した放送／映像信号、及びＩＰ網からの通信データを光変調した通信信号をカップリングして送るＯＬＴ３００と、ＯＬＴから受信された光信号を放送／映像信号と通信信号とに分離して光／電変換し、該変換された放送／映像信号を割り当てられた周波数に復調した放送／映像情報及び変換された通信信号を使用者に出力し、使用者から通信信号及び放送／映像選択情報を受けてＯＬＴに出力する多数のＯＮＴ４００−１〜１６と、ＯＬＴからの信号を多数のＯＮＴに分波し、ＯＮＴからの信号をＯＬＴに結合して伝達する光分波器２１５と、を含むものとする。【選択図】図２
2005027302.tif 000002
【特許請求の範囲】
【請求項１】
イーサネット受動型光加入者網（ＥＰＯＮ：Ethernet Passive Optical Network）において、
放送事業者から送られてきた多数のデジタル放送／映像データをそれぞれの使用者からの放送／映像選択情報に基づいて切り替えて前記使用者別に割り当てられた周波数に変調し結合した放送／映像信号、及びＩＰ（Internet Protocol）網からの通信データを光変調した通信信号をカップリングして送るＯＬＴ（Optical Line Terminal）と、
前記ＯＬＴからの光信号を受信し、その受信された光信号を前記放送／映像信号と前記通信信号とに分離して光／電変換し、該変換された放送／映像信号を割り当てられた周波数に復調した放送／映像情報及び前記変換された通信信号を前記使用者に出力し、前記使用者から通信信号及び前記放送／映像選択情報を受けて前記ＯＬＴに出力する多数のＯＮＴ（Optical Network terminal）と、
前記ＯＬＴからの信号を前記多数のＯＮＴに分波し、前記多数のＯＮＴからの信号を前記ＯＬＴに結合して伝達する光分波器と、を含むことを特徴とする放送通信融合のためのイーサネット受動型光加入者網。
【請求項２】
ＯＬＴは、
外部からＭＰＥＧ（Motion Picture Experts Group）放送及び映像データを受け、これを切り替えて出力する放送／映像チャンネル選択スイッチと、
該放送／映像チャンネル選択スイッチから出力された放送／映像チャンネルを、使用者別に割り当てられた搬送波周波数にそれぞれデジタル変調する多数のＱＡＭ（Quadrature Amplitude Modulation）変調器と、
該多数のＱＡＭ変調器からＱＡＭ変調された放送／映像信号を受けて一つの信号に結合する結合器と、
前記結合された放送／映像信号を光変調する第１光送信器と、
ＥＰＯＮのＯＬＴ機能を処理するＥＰＯＮ ＯＬＴ機能処理部と、
通信データを上位ＩＰ網や前記ＥＰＯＮ ＯＬＴ機能処理部にルーティングするためのＩＰルータと、
多数のＯＮＴへの通信データを光変調する第２光送信器と、
前記多数のＯＮＴからの光信号を受信して電気信号に変換した後、前記ＥＰＯＮ ＯＬＴ機能処理部に伝達する第１光受信器と、
前記多数のＯＮＴからの放送／映像選択情報を前記ＥＰＯＮ ＯＬＴ機能処理部を介して受信し、前記多数のＯＮＴにそれぞれ該当する放送／映像チャンネルを選択するための制御信号を、前記放送／映像チャンネル選択スイッチに伝達する放送／映像チャンネル選択制御部と、
前記光変調された通信信号及び前記光変調された放送／映像信号をカップリングして出力する第１ＷＤＭカプラーと、を含む請求項１に記載のイーサネット受動型光加入者網。
【請求項３】
多数のＯＮＴは、
ＯＬＴから送られてきた光信号を通信信号と放送／映像信号とに分離する第２ＷＤＭカプラーと、
前記分離された通信信号を受信して電気信号に変換する第２光受信器と、
前記分離された放送／映像信号を受信して電気信号に変換する第３光受信器と、
ＯＮＴ機能を処理するＥＰＯＮ ＯＮＴ機能処理部と、
使用者から前記ＯＬＴへの通信信号及び放送／映像選択情報を前記ＥＰＯＮ ＯＮＴ機能処理部から受けて光信号として送信する第３光送信器と、
前記変換された放送／映像信号をそれぞれの映像ソース別信号に分離する分波器と、
前記分波されたそれぞれの放送／映像信号から、前記使用者別に割り当てられた周波数成分を持つ信号を検出して放送／映像データを復元する多数のＱＡＭ復調器と、を含む請求項１または請求項２に記載のイーサネット受動型光加入者網。
【請求項４】
それぞれの使用者別に割り当てられた周波数成分は、前記使用者が選択した放送／映像信号が光線路上で衝突しないようにそれぞれのＯＮＴ別に固有の放送／映像送信周波数にて割り当てられる請求項３に記載のイーサネット受動型光加入者網。
【請求項５】
使用者からの放送／映像選択情報により双方向放送の上り信号が転送される請求項３に記載のイーサネット受動型光加入者網。
【請求項６】
放送通信融合のためのＥＰＯＮのＯＬＴにおいて、
ＯＮＴからの放送／映像選択情報に基づいて、放送事業者から得られるデジタル放送／映像データを切り替え、
前記切り替えられたデータを、前記ＯＮＴに対してそれぞれ割り当てられた搬送波周波数にそれぞれデジタル変調し、
前記変調された放送／映像信号を結合して形成された放送／映像信号とＩＰネットワークからの通信データを光変調して得られる通信信号とを一つの信号に結合し、
前記結合された信号を転送することを特徴とするＯＬＴ。
【請求項７】
デジタル放送データ及びデジタル映像データを切り替えるように構成されている請求項６に記載のＯＬＴ。
【請求項８】
放送通信融合のためのＥＰＯＮにおいてＯＬＴから光信号を受信するＯＮＴにおいて、
前記光信号をデジタル放送／映像信号と通信信号とに分離し、
前記分離された信号をそれぞれ電気信号に光電変換し、
前記変換された放送／映像信号を割り当てられた周波数に復調し、
前記復調された放送／映像情報と前記変換された通信信号を使用者に提供し、
前記使用者から使用者通信情報と放送／映像選択情報を受信し、
前記使用者通信情報と前記放送／映像選択情報を前記ＯＬＴに伝達することを特徴とするＯＮＴ。
【請求項９】
ＯＬＴから送られてきた光信号を通信信号と放送／映像信号とに分離する第２ＷＤＭカプラーと、
前記分離された通信信号を受信して電気信号に変換する第２光受信器と、
前記分離された放送／映像信号を受信して電気信号に変換する第３光受信器と、
ＯＮＴ機能を処理するＥＰＯＮ ＯＮＴ機能処理部と、
使用者から前記ＯＬＴへの通信信号及び放送／映像選択情報を前記ＥＰＯＮ ＯＮＴ機能処理部から受けて光信号として送信する第３光送信器と、
前記変換された放送／映像信号をそれぞれの映像ソース別信号に分離する分波器と、
前記分波されたそれぞれの放送／映像信号から前記使用者別に割り当てられた周波数成分を持つ信号を検出して放送／映像データを復元する多数のＱＡＭ復調器と、を含む請求項８に記載のＯＮＴ。
【発明の詳細な説明】
【技術分野】
【０００１】
本発明は、放送通信融合システムにおいて様々な方式で暗号化したＣＡＳ放送をサービスするための装置に関する。
【背景技術】
【０００２】
加入者に大容量・高速データサービス及びリアルタイムデジタル放送／映像サービスを高効率に提供するためには１００Ｍｂ／ｓ以上のデータ転送が必要とされる。しかし、既存の最高５０Ｍｂ／ｓのデータ転送率にしか達していないｘＤＳＬ（Digital Subscriber Line）やケーブルモデム（cable modem）を使っては上述のような大容量・高速データサービス及びリアルタイムデジタル放送／映像サービスが提供できない。そこで、大容量・高速データサービス及びリアルタイムデジタル放送／映像サービスを提供可能な高速伝送網に対する研究が望まれており、今は、経済的に光加入者網を構成する方式として受動型光加入者網（ＰＯＮ：Passive Optical Network）が脚光を浴びている。
【０００３】
かかる受動型光加入者網には、ＡＴＭ基盤のＡＴＭ−ＰＯＮ（Asynchronous Transfer Mode PONs）、ＷＤＭ基盤のＷＤＭ−ＰＯＮ（Wavelength Division Multiplexing PONs）、イーサネット（Ethernet）基盤のイーサネット−ＰＯＮ（ＥＰＯＮ）などの様々な受動型光加入者網があるが、一般の家庭までの高速光転送のための方法としてイーサネット−ＰＯＮのＦＴＴＨ（Fiber To The Home）構造が提示され開発中である（イーサネット、Ethernetは登録商標）。
【０００４】
一般に、イーサネット−ＰＯＮ方式は、基本的に、通信データを収容するために開発されてきたものである。イーサネット−ＰＯＮではデータの転送のために、ＯＬＴ（Optical Line Terminal）からＯＮＴ（Optical Network Terminals）には１５５０ｎｍの波長を使って１．２５Ｇｂ／ｓのギガビット・イーサネット（Gigabit Ethernet）信号を転送し、ＯＮＴらからＯＬＴには１３１０ｎｍの波長を使って１．２５Ｇｂ／ｓのギガビットイーサネット信号を転送する。
【０００５】
さらに、光加入者網を利用した放送サービスに対する要求が増大するに伴い、イーサネット−ＰＯＮにおいても放送信号を収容する必要性が提起されてきた。このため、図１に示すように、通信データ波長と異なる波長を持つ放送信号用波長を利用して放送信号をＯＮＴに転送するオーバーレイ（overlay）放送方式が提示された。
【０００６】
図１は、放送通信融合のための一般のイーサネット−ＰＯＮの構成図である。図１に示すように、放送通信融合のための一般のイーサネット−ＰＯＮは、放送事業者及び通信事業者から伝達された放送信号と通信信号を受けて電光変換した後、一つの信号として送る、使用者とサービスノードとの間に位置するサブシステムのＯＬＴ（Optical Line Terminal）１００、ＯＬＴ １００から受けた情報を使用者に伝達する使用者側装置である多数のＯＮＴ（Optical Network Terminal）２００−１〜２００−Ｎ、受動型光分波器１１８、そしてＯＬＴ １００と多数のＯＮＴ ２００−１〜２００−Ｎを連結する光ケーブルから構成される。
【０００７】
特に、ＯＬＴ １００は、放送網から送られてきた放送信号を構成要素１１５、１１６を通して光変換し光増幅して構成要素１１７に送信し、ＩＰ（Internet Protocol）ルータ１１１を介してＩＰ網から通信データを受信して構成要素１１２で光信号に処理し、この光信号を構成要素１１３に送信し、また、ＯＮＴ ２００−１〜２００−Ｎからのデータを受信してＩＰルータ１１１を介してＩＰ網に送信する。
【０００８】
そして、ＯＮＴ ２００−１〜２００−Ｎは、放送信号を放送受信器１１９−１〜１１９−Ｎで受信して放送ＳＴＢ（Set Top Box）１２２−１〜１２２−Ｎを通して使用者に伝達し、通信データは受信器１２０−１〜１２０−Ｎを介して受信してＥ−ＰＯＮ ＯＮＴ機能処理部１２３−１〜１２３−Ｎを経て使用者に伝えられ、また、使用者からはＥ−ＰＯＮ ＯＮＴ機能処理部１２３−１〜１２３−Ｎを介して通信データを受け、バストモード送信器１２１−１〜１２１−Ｎを経てＯＬＴ １００に転送する。
【０００９】
このような従来の放送を収容するイーサネット−ＰＯＮ構造において、ＯＬＴ １００からＯＮＴ ２００−１〜２００−Ｎにアナログ放送信号を伝達するためには、放送信号を増幅するべく高価の光増幅器であるＥＤＦＡ（Erbium Doped Fiber Amplifier）１１７を備えなければならない。また、アナログ放送でなくデジタル放送を収容する場合にも、デジタル放送チャンネルの数が多くなると高価のＥＤＦＡ１１７が必要となる。
【００１０】
そして、全ての放送チャンネルはＯＮＴ ２００−１〜２００−Ｎにそれぞれ転送され、このため、ＯＮＴ ２００−１〜２００−Ｎでは転送された放送信号を受信するべく、高い受信感度、優れた雑音特性などを持つ高仕様、高価の光受信器が必要とされる。
【００１１】
そして、今後、使用者らはデジタル放送に加えて高画質のリアルタイムデジタル映像サービスを要求すると予想されるが、従来のイーサネット−ＰＯＮでは高画質のリアルタイムデジタル映像を収容し難いという不具合がある。
【００１２】
しかも、従来イーサネット−ＰＯＮでは、ＯＮＴ ２００−１〜２００−ＮからＯＬＴ １００へ放送に対する情報を転送する方案を提示しておらず、よって、今後要求される双方向放送機能が具現し難いという問題もある。
【発明の開示】
【発明が解決しようとする課題】
【００１３】
本発明は、上記の問題点に鑑みてなされたものであり、加入者に高速・大容量通信データに加えて高画質のリアルタイムデジタル放送／映像を提供する放送通信融合のためのイーサネット−ＰＯＮを提供することにその目的がある。
【００１４】
また、本発明の他の目的は、ＯＬＴが、加入者が希望する放送チャンネルを選択してＯＮＴに転送することによって、多くの放送収容のためのＥＤＦＡを使用せず、ＯＮＴ内に低価格・低仕様の放送受信用光受信器を採用することにある。
【００１５】
また、本発明のさらに他の目的は、デジタル放送のほか、今後加入者らが要求する高画質デジタル映像を転送するにあたってＱｏＳ（Quality of Service）を保障できるようにすることにある。
【００１６】
また、本発明のさらに他の目的は、イーサネット−ＰＯＮの通信データラインを介して放送情報を伝達することによって、両方向放送機能の遂行を可能にすることにある。
【課題を解決するための手段】
【００１７】
上記の目的を達成するべく本発明は、イーサネット受動型光加入者網（ＥＰＯＮ：Ethernet Passive Optical Network）において、放送事業者から送られてきた多数のデジタル放送／映像データをそれぞれの使用者からの放送／映像選択情報に基づいて切り替えて使用者別に割り当てられた周波数に変調し結合した放送／映像信号、及びＩＰ（Internet Protocol）網からの通信データを光変調した通信信号をカップリングして送るＯＬＴ（Optical Line Terminal）と、ＯＬＴからの光信号を受信し、その受信された光信号を放送／映像信号と通信信号とに分離して光／電変換し、該変換された放送／映像信号を割り当てられた周波数に復調した放送／映像情報及び変換された通信信号を使用者に出力し、使用者から通信信号及び放送／映像選択情報を受けてＯＬＴに出力する多数のＯＮＴ（Optical Network terminal）と、ＯＬＴからの信号を多数のＯＮＴに分波し、多数のＯＮＴからの信号をＯＬＴに結合して伝達する光分波器と、を含むことを特徴とする。
【００１８】
ＯＬＴは、外部からＭＰＥＧ（Motion Picture Experts Group）放送及び映像データを受け、これを切り替えて出力する放送／映像チャンネル選択スイッチと、該放送／映像チャンネル選択スイッチから出力された放送／映像チャンネルを、使用者別に割り当てられた搬送波周波数にそれぞれデジタル変調する多数のＱＡＭ（Quadrature Amplitude Modulation）変調器と、該多数のＱＡＭ変調器からＱＡＭ変調された放送／映像信号を受けて一つの信号に結合する結合器と、結合された放送／映像信号を光変調する第１光送信器と、ＥＰＯＮのＯＬＴ機能を処理するＥＰＯＮ ＯＬＴ機能処理部と、通信データを上位ＩＰ網やＥＰＯＮ ＯＬＴ機能処理部にルーティングするためのＩＰルータと、多数のＯＮＴへの通信データを光変調する第２光送信器と、多数のＯＮＴからの光信号を受信して電気信号に変換した後、ＥＰＯＮ ＯＬＴ機能処理部に伝達する第１光受信器と、多数のＯＮＴからの放送／映像選択情報をＥＰＯＮ ＯＬＴ機能処理部を介して受信し、多数のＯＮＴにそれぞれ該当する放送／映像チャンネルを選択するための制御信号を、放送／映像チャンネル選択スイッチに伝達する放送／映像チャンネル選択制御部と、光変調された通信信号及び光変調された放送／映像信号をカップリングして出力する第１ＷＤＭカプラーと、を含むものとする。
【００１９】
また、多数のＯＮＴは、ＯＬＴから送られてきた光信号を通信信号と放送／映像信号とに分離する第２ＷＤＭカプラーと、分離された通信信号を受信して電気信号に変換する第２光受信器と、分離された放送／映像信号を受信して電気信号に変換する第３光受信器と、ＯＮＴ機能を処理するＥＰＯＮ ＯＮＴ機能処理部と、使用者からＯＬＴへの通信信号及び放送／映像選択情報をＥＰＯＮ ＯＮＴ機能処理部から受けて光信号として送信する第３光送信器と、変換された放送／映像信号をそれぞれの映像ソース別信号に分離する分波器と、分波されたそれぞれの放送／映像信号から、使用者別に割り当てられた周波数成分を持つ信号を検出して放送／映像データを復元する多数のＱＡＭ復調器と、を含むものとする。それぞれの使用者別に割り当てられた周波数成分は、使用者が選択した放送／映像信号が光線路上で衝突しないようにそれぞれのＯＮＴ別に固有の放送／映像送信周波数にて割り当てられるものとするのがよい。また、使用者からの放送／映像選択情報により双方向放送の上り信号が転送されるようにしておくとよい。
【００２０】
さらに、本発明によれば、放送通信融合のためのＥＰＯＮのＯＬＴにおいて、ＯＮＴからの放送／映像選択情報に基づいて、放送事業者から得られるデジタル放送／映像データを切り替え、この切り替えられたデータを、ＯＮＴに対してそれぞれ割り当てられた搬送波周波数にそれぞれデジタル変調し、この変調された放送／映像信号を結合して形成された放送／映像信号とＩＰネットワークからの通信データを光変調して得られる通信信号とを一つの信号に結合し、この結合された信号を転送することを特徴とする。このＯＬＴは、デジタル放送データ及びデジタル映像データを切り替えるように構成されているとよい。
【００２１】
さらに、本発明によれば、放送通信融合のためのＥＰＯＮにおいてＯＬＴから光信号を受信するＯＮＴにおいて、光信号をデジタル放送／映像信号と通信信号とに分離し、この分離された信号をそれぞれ電気信号に光電変換し、この変換された放送／映像信号を割り当てられた周波数に復調し、この復調された放送／映像情報と変換された通信信号を使用者に提供し、使用者から使用者通信情報と放送／映像選択情報を受信し、使用者通信情報と放送／映像選択情報をＯＬＴに伝達することを特徴とする。このようなＯＮＴは、ＯＬＴから送られてきた光信号を通信信号と放送／映像信号とに分離する第２ＷＤＭカプラーと、この分離された通信信号を受信して電気信号に変換する第２光受信器と、この分離された放送／映像信号を受信して電気信号に変換する第３光受信器と、ＯＮＴ機能を処理するＥＰＯＮ ＯＮＴ機能処理部と、使用者からＯＬＴへの通信信号及び放送／映像選択情報をＥＰＯＮ ＯＮＴ機能処理部から受けて光信号として送信する第３光送信器と、変換された放送／映像信号をそれぞれの映像ソース別信号に分離する分波器と、この分波されたそれぞれの放送／映像信号から使用者別に割り当てられた周波数成分を持つ信号を検出して放送／映像データを復元する多数のＱＡＭ復調器と、を含むものとする。
【発明の効果】
【００２２】
本発明は、ＯＬＴにおいて加入者の所望する放送チャンネルを選択してＯＮＴに転送するため、多くの放送収容のためのＥＤＦＡを使用しなくてすみ、ＯＮＴ内に低価格で低仕様の放送受信用光受信器を採用することができる。
【００２３】
また、本発明によれば、デジタル放送のほか、今後加入者らが要求する高画質デジタル映像を転送するにあたってＱｏＳ（Quality of Service）を保障できる効果がある。
【００２４】
また、本発明は、イーサネット−ＰＯＮの通信データラインを介して放送情報を伝達するため、双方向放送機能が行える効果がある。
【発明を実施するための最良の形態】
【００２５】
以下、添付図面を参照しつつ本発明の好ましい実施形態を詳細に説明する。図面中、同一の構成要素には可能なかぎり同一の参照符号及び番号を共通使用し、関連する周知技術については適宜説明を省略するものとする。
【００２６】
図２は、本発明に係る放送通信融合のためのイーサネット−ＰＯＮの構成図である。本発明に係るイーサネット−ＰＯＮは、一つのＯＬＴ ３００、光分波器２１５、１６個のＯＮＴ ４００−１〜４００−１６で構成される。そして、それぞれのＯＮＴ ４００−１〜４００−１６は一人の使用者に割り当てられる。すなわち、一人の使用者につき一つのＯＮＴが接続されるのである。
【００２７】
また、ＯＬＴ ３００は、ＭＰＥＧ（Motion Picture Experts Group）放送及び映像データを切り替える放送／映像チャンネル選択スイッチ２１、ＯＮＴ ４００−１〜４００−１６からの選択チャンネル情報を受けてそれぞれの放送／映像チャンネルを選択するための制御信号を放送／映像チャンネル選択スイッチ２１に伝達する放送／映像チャンネル選択制御部２６、放送／映像チャンネル選択スイッチ２１に連結されて選択された放送／映像チャンネルをデジタル変調するＱＡＭ（Quadrature Amplitude Modulation）変調器２２−１〜２３−２、ＱＡＭ変調器２２−１〜２３−２に連結されてＱＡＭ変調された放送／映像信号を結合する結合器２４、結合された放送／映像信号を光変調する光送信器２５、通信データを上位ＩＰ網やイーサネット−ＰＯＮ ＯＬＴ機能処理部２８にルーティングするためのＩＰルータ２７、イーサネット−ＰＯＮのＯＬＴ機能を処理するイーサネット−ＰＯＮ ＯＬＴ機能処理部２８、ＯＮＴ ４００−１〜４００−１６への通信データを光変調して送る光送信器２９、ＯＮＴ ４００−１〜４００−１６からの光信号を受信して電気信号に変換する光受信器２１０、光変調された通信信号λDOWNと光変調された放送／映像信号λBをカップリングするＷＤＭカプラー２１１を含む。
【００２８】
一方、ＯＮＴ ４００−１〜 ＯＮＴ ４００−１６（以下では、 ＯＮＴ ４００−１を代表として説明する）はそれぞれ、送られてきた光信号から通信信号λDOWNと放送／映像信号λBとを分離するＷＤＭカプラー２１６、ＷＤＭカプラー２１６から分離された通信信号λDOWNを受信して電気信号に変換する光受信器２１７、使用者からの通信信号を光信号λUPとしてＯＬＴ ３００に送信する光送信器２１８、ＯＮＴ ４００−１機能を処理するイーサネット−ＰＯＮ ＯＮＴ機能処理部２２０、放送／映像信号λBを受信して電気信号に変換する光受信器２１９、電気信号に変換された放送／映像信号をそれぞれの映像ソース別信号に分離する分波器２２１、ＯＮＴ ４００−１〜４００−１６それぞれに対して割り当てられた、周波数成分を持つ信号を検出して放送／映像データを復元するＱＡＭ復調器２２２、２２３を含む。
【００２９】
次に、上記の構成を持つイーサネット−ＰＯＮの動作について説明する。
【００３０】
まず、下り通信（ＯＬＴからＯＮＴへの通信）では、デジタル放送データ及びデジタル映像データは放送／映像チャンネル選択スイッチ２１に入力される。そして、各加入者（ＯＮＴ）が視聴したい放送／映像チャンネルを放送／映像チャンネル選択制御部２６の制御信号に応じて切り替えて出力する。すなわち、視聴したい放送／映像チャンネルを使用者がリモコンなどを使って選択し、選択された信号は放送／映像チャンネル選択データ２２５としてＯＮＴからイーサネット−ＰＯＮ網を介して放送／映像チャンネル選択制御部２６に送られる。
【００３１】
そして、放送／映像チャンネル選択制御部２６は、放送／映像チャンネル選択スイッチ２１が各加入者の所望する通りに放送／映像チャンネル２１２−１〜２１２−１６を切り替えるように制御する。このとき各加入者が所望する放送／映像チャンネル２１２−１〜２１２−１６は多数存在できるが、説明の便宜上、図２では、放送／映像チャンネル２１２−１〜２１２−１６のうち最大２つの放送／映像チャンネルを切り替える例を示す。例えば、ＯＮＵ ４００−１６上の使用者は、選択スイッチ２１に入力されるデジタル放送データ及びデジタル映像チャンネルのいずれかを搬送できる、ｆ１６．１またはｆ１６．２周波数上のチャンネルを選択する。このように放送／映像チャンネルをＯＬＴ ３００で制御して転送することによって、多数の放送／映像チャンネルを出力しなくてすむことになる。すなわち、従来のＰＯＮ構造において全ての放送／映像チャンネルを収容するために使われてきたＥＤＦＡが不要になる。
【００３２】
上述したように、それぞれのＯＮＴ ４００−１〜４００−１６にはそれぞれ２つの特定周波数を割り当てる。この周波数割当の例を図３に示す。図３に示すように、ＯＮＴ ４００−１にはｆ１,１ ３１及びｆ１,２ ３２の周波数を割り当て、ＯＮＴ ４００−１６にはｆ１６,１ ３３及びｆ１６,２ ３４の周波数を割り当てる。すなわち、ｉ番目のＯＮＴ ４００−ｉにはｆｉ,１及びfｉ,２の周波数を割り当てる。このように、イーサネット−ＰＯＮにおいて各ＯＮＴに異なる波長が割り当てられ、放送／映像信号が異なる波長にてＯＬＴからＯＮＴに転送されるため、それぞれのＯＮＴに対する放送／映像信号間の衝突が防止されるのである。
【００３３】
このような周波数割当を利用して放送／映像チャンネル選択スイッチ２１から出力された放送／映像データのうち、ＯＮＴ ４００−１により選択された放送／映像信号はそれぞれ、ｆ１,１及びｆ１,２の周波数を搬送波として使用するＱＡＭ変調器２２−１、２２−２でデジタル変調され、ＯＮＴ ４００−１６により選択された放送／映像信号はそれぞれ、ｆ１６,１及びｆ１６,２の周波数を搬送波として使用するＱＡＭ変調器２３−１、２３−２でデジタル変調される。
【００３４】
次いで、これらのデジタル変調された放送／映像信号は、結合器２４で一つの信号に結合された後λBの波長を持つ光信号に光変調され、ＷＤＭカプラー２１１で、光変換された通信信号λDOWNと結合してＯＮＴ ４００−１〜４００−１６に転送される。
【００３５】
一方、上位ＩＰ網から転送された通信データは、ＩＰルータ２８を経てイーサネット−ＰＯＮ ＯＬＴ機能処理部２８に入力されてイーサネット−ＰＯＮ機能が処理された後、光送信器２９でλDOWNの波長を持つ光信号に光変調され、ＷＤＭカプラー２１１で光変換された放送／映像信号λBと結合してＯＮＴ ４００−１〜４００−１６に転送される。
【００３６】
そして、ＷＤＭカプラー２１１で結合された通信信号λDOWNの波長と放送／映像信号λBの波長は光分波器２１５を経てそれぞれのＯＮＴ ４００−１〜４００−１６に分配される。
【００３７】
その後、ＯＮＴ ４００−１〜４００−１６の入力部であるＷＤＭカプラー２１６において通信信号λDOWNと放送／映像信号λBが分離される。ここで、分離された通信信号λDOWNは、光受信器２１７で電気信号に変換されてイーサネット−ＰＯＮ ＯＮＴ機能処理部２２０を経てコンピュータなどの端末装置に送られる通信データ（下り）２２４−１として出力される。
【００３８】
また、分離された放送／映像信号λBは、光受信器２１９で電気信号に変換されて分波器２２１で二つの放送／映像信号ｆ１,１及びｆ１,２に分離される。そして、分離された二つの信号は各ＯＮＴ別に割り当てられた周波数成分のみが検出されてＱＡＭ復調器２２２、２２３でデジタル放送／映像データ２２６−１、２２６−２に復元された後ＴＶなどの端末装置に連結する。
【００３９】
一方、各ＯＮＴは、コンピュータなどから生成されたＩＰ通信データ２２４−２の上りデータと、デジタル放送／映像チャンネルを視聴するための放送／映像チャンネル選択データ２２５を発生させる。これらの上りデータはイーサネット−ＰＯＮ ＯＮＴ機能処理部２２０でデータ衝突などの問題を解決した後、光送信器２１８でλUPの波長を持つ光信号に光変調された後、ＷＤＭカプラー２１６、光分波器２１５を経てＯＬＴ ３００に転送される。ここで、ＯＮＴにより発生された放送／映像チャンネル選択データ２２５を通じてＯＬＴ ３００における制御動作が行われ、このデータ２２５は類似な方法で処理された双方向放送の上り信号を含む。
【００４０】
そして、ＯＬＴ ３００に伝達された上り信号はＯＬＴ ３００内のＷＤＭカプラー２１１を経て光受信器２１０に受信され、電気信号に変換される。
【００４１】
次いで、変換された上り信号はイーサネット−ＰＯＮ ＯＬＴ機能処理部２８において、デジタル放送／映像チャンネル選択データ２２５は放送／映像チャンネル選択制御部２６に送られ、ＩＰ通信データはＩＰルータ２７を介して上位ＩＰ網に転送される。
【００４２】
図４は、本発明に係る多数のイーサネット−ＰＯＮを収容する放送通信融合のための複合イーサネット−ＰＯＮの構成図である。
【００４３】
図４には、Ｌ個のＯＬＴとＬ×ｎ個のＯＮＴを収容する構造の放送通信融合のための複合イーサネット−ＰＯＮが示されており、以下にその動作について述べる。
【００４４】
ＳＯ（Service Operator）またはＤＭＣ（Digital Medial Center）４１から送られてきたデジタル放送信号は、デジタル放送チャンネル別分離器４３でＮ個のＭＰＥＧデジタル放送チャンネルにそれぞれ分離される。
【００４５】
そして、分離されたそれぞれのＭＰＥＧデジタル放送チャンネルは分波器４７−１〜４７−ＮでＬ個に分離され、Ｌ個のイーサネット−ＰＯＮ ＯＬＴ４９−１，４９−２，…，４９−Ｌにそれぞれ伝えられる。
【００４６】
また、デジタル映像ソース（source）４２から送られてきたデジタル映像データは、デジタル映像チャンネル別分離器４４でＭ個のＭＰＥＧデジタル映像チャンネルにそれぞれ分離された後、分波器４８−１〜４８−ＭでＬ個に分離され、Ｌ個のイーサネット−ＰＯＮ ＯＬＴ４９−１，４９−２，…，４９−Ｌにそれぞれ伝えられる。
【００４７】
そして、ＩＰ網４５から送られてきた通信データは、ＩＰルータ４６でＬ個にルーティングされてそれぞれのＯＬＴに転送される。
【００４８】
以上説明した本発明は、当該技術分野で通常の知識を持つ者により本発明の技術的思想を外れない範囲内で様々な置換、変形及び変更が可能なもので、前述した実施例及び添付図面によって限定されるものではない。
【図面の簡単な説明】
【００４９】
【図１】放送通信融合のための従来のイーサネット−ＰＯＮの構成図。
【図２】本発明に係る放送通信融合のためのイーサネット−ＰＯＮの構成図。
【図３】本発明によって使用者ごとに割り当てられた周波数領域の例示図。
【図４】本発明に係る多数のイーサネット光加入者網を収容する放送通信融合のための複合イーサネット光加入者網を示す構成図。
【図１】
2005027302.tif 000003
【図２】
2005027302.tif 000004
【図３】
2005027302.tif 000005
【図４】
2005027302.tif 000006